(57)【要約】【課題】  空気調和機おいて、使用者の体調を崩す要因の一つとなる起床時の過去数日の温度変化に合わせて、タイマー運転を起動する判定を行う技術を提供する。【解決手段】  空気調和機において、外気温および室温を検出する温度検出手段と、検出した各温度をメモリに記憶する記憶手段と、温度を一日単位の特定時刻に定期的に取得するタイマー制御手段と、記憶手段よりの過去数日間の温度と最新の温度による寒暖の差を算出する演算手段とを有し、タイマー設定された希望する時刻の所定時間に前記演算手段により取得した過去数日間の気温データを多項式近似を例とした近似値化した閾値との比較により、所定の設定に対するタイマー運転の起動を制御する。【選択図】図１
2010071501.tif 000002
【特許請求の範囲】
【請求項１】
外気温および室温を検出する温度検出手段と、検出した各温度をメモリに記憶する記憶手段と、温度を一日単位の特定時刻に定期的に取得するタイマー制御手段と、記憶手段よりの前日の温度と最新の温度による寒暖の差を算出する演算手段とを有し、タイマー設定された希望する時刻の所定時間前に前記演算手段により前日との温度差が所定の温度以上ある場合にのみ、所定の設定に対する運転を開始することを特徴とする空気調和機の制御方法。
【請求項２】
前記制御手段が前日との気温の差だけでなく過去数日間の温度変化による移動平均またはその他近似式、例えば多項式近似，対数近似，線形近似により起動を制限する制御をすることを特徴とする空気調和機。
【請求項３】
前記制御手段が所定の温度域でのみ有効となる制御をすることを特徴とする空気調和機。
【発明の詳細な説明】
【技術分野】
【０００１】
本発明は空気調和機をタイマー設定により運転開始させる場合の、温暖であるが寒暖の差が激しい季節における制御方法に関する。
【背景技術】
【０００２】
空気調和機にはタイマー機能があるため、このタイマー機能を利用し、例えば就寝時などに翌朝の運転開始時刻を設定したりする。この際、いかにして設定温度および設定湿度，外気温度から最適な温度・湿度の環境を作り出すことが大切であり、肌理細やかな制御の方法例が特許文献１や特許文献２に記載されている。
【０００３】
例えば、特許文献１にはタイマー設定された運転開始時刻に、室温が設定温度に間違いなく到達できるようにする方法が、また特許文献２にはタイマー設定を忘れて就寝したときに室内を適温を保つ方法が記載されている。
【０００４】
また、特許文献３には天気予報データを通信手段により取込み予め予測される天気に適した運転を行う方法が記載されている。
【０００５】
【特許文献１】特開平５−３４０５９１号公報
【特許文献２】特開２００１−１４１２７８号公報
【特許文献３】特開平８−１７８３８９号公報
【発明の開示】
【発明が解決しようとする課題】
【０００６】
人間には外環境に順応しようとする能力が備わっており、日本の気候の特に春や秋にみられるように徐々に暑くなる、徐々に寒くなる場合においては自然と環境になれていくものである。しかしながら、この時期の気温の変化は図２に示すように、必ずしも比例直線に近似するような変化ではなく、前日との最低気温の差が５度以上異なることも稀ではない。このような寒暖の差が著しく異なる環境は、健康な人でも体調を崩す要因とされている。冬や夏の季節において適温にさせるだけでなく、前述のような時期においても、起床時の温度を適温に設定できるタイマー機能を有する空気調和機は非常に有効である。また、気象情報や天気予報データを通信手段によって取込みより快適な温度とすることも可能であるが、実現するには通信手段を構成する機能だけでなく気象情報のデータ等大掛かりなシステムが必要となりコスト面に課題が残る。
【０００７】
一方、四季の変化を重んじ、なるべく自然な気温や湿度の状態で過ごす事を好む生活習慣の人や、環境問題を重視し省エネルギー推進派の人は人工的に過度に調整された空気調和機を使用することを好まず、冬や夏以外では積極的に空気調和機を使用しないことが多い。
【０００８】
本発明は、上述した問題点を解決するためになされたものであり、毎日の特定の時間の外気温度を記憶し季節特有の気温の変化に基づき寒暖の差が激しいときのみタイマーで設定された時刻に空気調和機を起動させることで、積極的に空気調和機を使用することを好まない人にも体調を崩す要因となるような環境を取り除くための必要最小限の運転をすることを、新たな設備を必要とせず安価に提供することを目的とするものである。
【課題を解決するための手段】
【０００９】
上記目的を達成するため、本発明のうち請求項１に記載の発明は、所定時刻に時間データを出力するタイマーを備え、通常はタイマー設定手段により設定された時間に基づいて運転を制御する空気調和機において、前日の同時刻との外気温および室温の差が所定の温度差以上の場合のみ所定の設定温度に近づけるように運転する制御を行う制御手段とを備えたことを特徴としている。また、請求項２に記載の発明は、前記制御手段が、前日同時刻との温度差がある場合に限らず、過去数日間の同時刻温度データの移動平均またはその他近似式、例えば多項式近似や、対数近似，線形近似により起動を制限する制御を行うことを特徴としている。また、請求項３に記載の発明は、冬や夏の時期は前日までの温度によらずタイマー運転を実施するように、前記手段の有効温度域を制御することを特徴としている。
【発明の効果】
【００１０】
以上説明したような制御系を備えてなる空気調和機であるならば、タイマー設定された運転開始時刻に、前日までの外気温との変化が著しい場合にのみ運転を開始し、体調を崩す要因となる起床時の極端な温度変化を防ぐことができ、かつ、人工的な空気調和にのみ頼らず自然の温度変化にも順応できる。また、必要な場合にのみ運転をすることで省エネルギー効果が期待できる。また、大まかな季節単位の設定のみで日々のタイマー設定を行わなくても寒暖の激しい季節における体調を崩す要因を取り除くことが可能である。
【発明を実施するための最良の形態】
【００１１】
以下、本発明に係る第１〜第４の実施例を、図１〜図５に示すグラフに従って説明する。なお、以降の説明において、同様な処理部分については説明を省略する。
【実施例１】
【００１２】
図２は関東地方のある都市のある年の３月〜６月までの最低気温を示したものである。最低気温は午前１時〜６時の時間帯に集中しており、この時間帯は起床時のタイマー起動運転と重なることがほとんどである。ここで、前日までの過去数日間の外気温度変化を測定することは、寒暖の差による体調不良を招く要因、特に暖房運転において重要な因子となる。図１はタイマー設定温度の日毎の気温と線形近似した近似値線のグラフである。図１のグラフでわかるように近似値線は季節（ここでは春）により気温が徐々に上がっていることを示し、近似値線と比べて低い気温の日は前日までの気温変化にくらべて一時的に、かつ、著しく下がる傾向があり寒暖の差が激しいと判断できる。このような場合は体調を崩しやすく、できれば空気調和機による暖房運転をすることが望ましい。このようにタイマー設定された時刻の過去数日間の気温データをメモリに記憶し、記憶した過去数日間の連続気温データの例えば線形近似値を閾値とし、閾値との比較をすることで寒暖の差が激しいと判定し所定のタイマー運転を実行するかどうかを判定することで必要最小限の運転を制限することが可能になる。これにより、積極的に空気調和機を運転させる必要を感じない人でも毎日のタイマー予約を設定することなく、体調を崩す要因となるような場合にのみ空気調和機を起動することができる。
【実施例２】
【００１３】
図３は実施例１での過去数日間の温度変化ではなく前日同時刻との変化のみでマイナスになった場合にタイマー機能を有効とする場合のグラフを示す。この場合は近似値を求める演算式も不要で、前日のみの気温を記憶するためメモリ容量の節約にも有効な方法である。
【実施例３】
【００１４】
図４は実施例１と同様な制御であるが近似値を過去３日間の移動平均とした場合を示す。また図５は、同様に近似値を多項式近似とした場合を示す。このような複数の近似値を用いて制御を選択させる方法をとることもできる。また、複数の近似値を総合的に判断し、全ての近似値との比較結果寒暖の差を算出することでより体感に近い温度変化に沿ったタイマー運転制御を行うことができる。
【実施例４】
【００１５】
また、寒暖の差に関係なく近似値が所定の温度（図１，図３，図４，図５の例では１０℃）以下の場合は前日より温度が高い場合でもタイマー機能による制御を有効とし、例えば冬の時期の暖房運転に備えることができる。
【産業上の利用可能性】
【００１６】
従来の外気温や室温だけの判定でタイマー運転を起動し制御する場合は、気温が設定温度以上でも過去数日間の気温に比べ低い場合に空気調和機を起動しないことや、気温が設定温度以下であっても過去数日間の気温に比べ高い場合の無駄な運転することになる。これに比べ、本発明の空気調和機は、過去数日間の気温データを測定し、過去の気温と比較するだけで体感する気温変化に沿った必要最低限の運転を行うことができ、省エネルギーの効果が得られるため、産業上の利用可能性は高い。特に春，夏の比較的温暖であるが、時に寒暖の差が激しく気温が不安定な時期において有効である。
【図面の簡単な説明】
【００１７】
【図１】本発明の第１の実施例における線形近似値との比較によるタイマー実施判定と気温の変化を表すグラフである。
【図２】本発明の第１の実施例で例として用いた関東地方のある都市のある年の３月〜６月までの最低気温を示したグラフである。
【図３】本発明の第２の実施例における前日温度との比較によるタイマー実施判定と気温の変化を表すグラフである。
【図４】本発明の第３の実施例における移動平均値との比較によるタイマー実施判定と気温の変化を表すグラフである。
【図５】本発明の第３の実施例における多項式近似値との比較によるタイマー実施判定と気温の変化を表すグラフである。
【図１】
2010071501.tif 000003
【図２】
2010071501.tif 000004
【図３】
2010071501.tif 000005
【図４】
2010071501.tif 000006
【図５】
2010071501.tif 000007